(57)【要約】  複数の無線送信／受信ユニット（ＷＴＲＵ）と調整ノード（例えば、アクセスポイント（ＡＰ））とを含む無線通信システム（例えば、無線ローカルエリアネットワーク（ＷＬＡＮ））の中で、経路ロスは、ＷＴＲＵのうちの第１のＷＴＲＵからＷＴＲＵのうちの第２のＷＴＲＵに対してラウドパケットを送信することによって推定される。調整ノードは、ラウドパケット生成要求メッセージを送信する。ＷＴＲＵのうちの第１のＷＴＲＵはラウドパケット生成要求メッセージを受信し、ラウドパケット生成要求メッセージによって特定された送信電力で、少なくとも１つのラウドパケットを送信する。任意で、第１のＷＴＲＵはラウドパケット生成応答メッセージを送信する。ＷＴＲＵのうちの第２のＷＴＲＵはラウドパケットを受信して、ラウドパケットの信号強度を判定されたラウドパケットの送信電力から差し引くことによって、第１のＷＴＲＵと第２のＷＴＲＵとの間の経路ロスを判定する。
2008538682.tif 000002
【特許請求の範囲】
【請求項１】
複数の無線送信／受信ユニット（ＷＴＲＵ）を含む無線通信システムの中で、経路ロスを推定する方法であって、
前記方法は、
前記ＷＴＲＵのうちの第１のＷＴＲＵがラウドパケットを送信するステップと、
前記ＷＴＲＵのうちの第２のＷＴＲＵが前記ラウドパケットを受信するステップと、
前記第２のＷＴＲＵが前記受信されたラウドパケットの信号強度を判定するステップと、
前記第２のＷＴＲＵが前記受信されたラウドパケットの送信電力を判定するステップと、
前記第２のＷＴＲＵが、前記判定された信号強度を前記判定された送信電力から差し引くことによって、前記第１のＷＴＲＵと前記第２のＷＴＲＵとの間の経路ロスを判定するステップと
を含むことを特徴とする方法。
【請求項２】
前記送信電力は、前記ラウドパケットに含まれる情報フィールドの中で指し示されることを特徴とする請求項１に記載の方法。
【請求項３】
前記無線通信システムはアクセスポイント（ＡＰ）をさらに含み、
前記送信電力は、前記第１のＷＴＲＵの最大送信電力を含んでいるフィールドを含むアクセスポイント（ＡＰ）によって周期的にブロードキャストされることを特徴とする請求項１に記載の方法。
【請求項４】
前記無線通信システムはアクセスポイント（ＡＰ）をさらに含み、
前記送信電力は、前記第２のＷＴＲＵが前記ＡＰと接続する場合に前記第２のＷＴＲＵによって指し示されることを特徴とする請求項１に記載の方法。
【請求項５】
前記ラウドパケットは、前記第１のＷＴＲＵの前記最大送信電力を指し示す情報フィールドを含むことを特徴とする請求項１に記載の方法。
【請求項６】
前記ラウドパケットは、前記第１のＷＴＲＵを識別する識別子を含んでいる情報フィールドを含むことを特徴とする請求項１に記載の方法。
【請求項７】
前記識別子は媒体アクセス制御（ＭＡＣ）アドレスであることを特徴とする請求項６に記載の方法。
【請求項８】
前記ラウドパケットは、ＩＥＥＥ８０２．１１の信号送信フレームを含むことを特徴とする請求項１に記載の方法。
【請求項９】
前記ラウドパケットを別の種類のパケットにピギーバックするステップをさらに含むことを特徴とする請求項１に記載の方法。
【請求項１０】
複数の無線送信／受信ユニット（ＷＴＲＵ）と調整ノードとを含む無線通信システムの中で、経路ロスを推定するために使用されるラウドパケットの管理を調整する方法であって、
前記方法は、
前記調整ノードがラウドパケット生成要求メッセージを送信するステップと、
前記ＷＴＲＵのうちの第１のＷＴＲＵが前記ラウドパケット生成要求メッセージを受信するステップと、
前記第１のＷＴＲＵが、前記ラウドパケット生成要求メッセージによって特定された送信電力で少なくとも１つのラウドパケットを送信するステップと、
前記ＷＴＲＵのうちの第２のＷＴＲＵが前記少なくとも１つのラウドパケットを受信するステップと、
前記第２のＷＴＲＵが前記受信されたラウドパケットの信号強度を判定するステップと、
前記第２のＷＴＲＵが前記受信されたラウドパケットの送信電力を判定するステップと、
前記第２のＷＴＲＵが、前記判定された信号強度を前記判定された送信電力から差し引くことによって、前記第１のＷＴＲＵと前記第２のＷＴＲＵとの間の経路ロスを判定するステップと
を含むことを特徴とする方法。
【請求項１１】
前記調整ノードは、アクセスポイント（ＡＰ）であることを特徴とする請求項１０に記載の方法。
【請求項１２】
前記第１のＷＴＲＵが、ラウドパケット生成応答メッセージを送信することによって、前記ラウドパケット生成要求メッセージに応答するステップをさらに含むことを特徴とする請求項１０に記載の方法。
【請求項１３】
前記ラウドパケット生成応答メッセージは、前記第１のＷＴＲＵが前記ラウドパケットを送信するために使用する前記送信電力を指し示すことを特徴とする請求項１２に記載の方法。
【請求項１４】
複数の無線送信／受信ユニット（ＷＴＲＵ）と調整ノードとを含む無線通信システムの中で、経路ロスを推定するために使用されるラウドパケットの管理を調整する方法であって、
前記方法は、
前記調整ノードがラウドパケット生成要求メッセージを送信するステップと、
前記ＷＴＲＵのうちの第１のＷＴＲＵが前記ラウドパケット生成要求メッセージを受信するステップと、
前記第１のＷＴＲＵが、前記ラウドパケット生成要求メッセージによって特定された情報を含んでいる少なくとも１つのラウドパケットを送信するステップと、
前記ＷＴＲＵのうちの第２のＷＴＲＵが前記少なくとも１つのラウドパケットを受信するステップと、
前記第２のＷＴＲＵが前記受信されたラウドパケットの信号強度を判定するステップと、
前記第２のＷＴＲＵが、前記ラウドパケットの中に含まれた情報に基づいて、前記受信されたラウドパケットの送信電力を判定するステップと、
前記第２のＷＴＲＵが、前記判定された信号強度を前記判定された送信電力から差し引くことによって、前記第１のＷＴＲＵと前記第２のＷＴＲＵとの間の経路ロスを判定するステップと
を含むことを特徴とする方法。
【請求項１５】
前記調整ノードは、アクセスポイント（ＡＰ）であることを特徴する請求項１４に記載の方法。
【請求項１６】
前記第１のＷＴＲＵが、ラウドパケット生成応答メッセージを送信することによって、前記ラウドパケット生成要求メッセージに応答するステップをさらに含むことを特徴とする請求項１４に記載の方法。
【請求項１７】
前記ラウドパケット生成応答メッセージは、前記第１のＷＴＲＵが前記ラウドパケットを送信するために使用する前記送信電力を指し示すことを特徴とする請求項１６に記載の方法。
【請求項１８】
複数の無線送信／受信ユニット（ＷＴＲＵ）と調整ノードとを含む無線通信システムの中で、経路ロスを推定するために使用されるラウドパケットの管理を調整する方法であって、
前記方法は、
前記調整ノードがラウドパケット生成要求メッセージを送信するステップと、
前記ＷＴＲＵのうちの第１のＷＴＲＵが前記ラウドパケット生成要求メッセージを受信するステップと、
前記第１のＷＴＲＵが、前記ラウドパケット生成要求メッセージによって特定された時間に少なくとも１つのラウドパケットを送信するステップと、
前記ＷＴＲＵのうちの第２のＷＴＲＵが前記少なくとも１つのラウドパケットを受信するステップと、
前記第２のＷＴＲＵが前記受信されたラウドパケットの信号強度を判定するステップと、
前記第２のＷＴＲＵが前記受信されたラウドパケットの送信電力を判定するステップと、
前記第２のＷＴＲＵが、前記判定された信号強度を前記判定された送信電力から差し引くことによって、前記第１のＷＴＲＵと前記第２のＷＴＲＵとの間の経路ロスを判定するステップと
を含むことを特徴とする方法。
【請求項１９】
前記調整ノードは、アクセスポイント（ＡＰ）であることを特徴とする請求項１８に記載の方法。
【請求項２０】
前記第１のＷＴＲＵが、ラウドパケット生成応答メッセージを送信することによって、前記ラウドパケット生成要求メッセージに応答するステップをさらに含むことを特徴とする請求項１８に記載の方法。
【請求項２１】
前記ラウドパケット生成応答メッセージは、前記第１のＷＴＲＵが前記ラウドパケットを送信するために使用する前記送信電力を指し示すことを特徴とする請求項２０に記載の方法。
【請求項２２】
複数の無線送信／受信ユニット（ＷＴＲＵ）を含む無線通信システムの中で、経路ロスを推定するために使用されるラウドパケットの管理を調整する方法であって、
前記方法は、
前記ＷＴＲＵのうちの第１のＷＴＲＵがラウドパケット生成要求メッセージを送信するステップと、
前記ＷＴＲＵのうちの第２のＷＴＲＵが前記ラウドパケット生成要求メッセージを受信するステップと、
前記第２のＷＴＲＵが、前記ラウドパケット生成要求メッセージによって特定される送信電力で少なくとも１つのラウドパケットを送信するステップと、
前記ＷＴＲＵのうちの第３のＷＴＲＵが前記少なくとも１つのラウドパケットを受信するステップと、
前記第３のＷＴＲＵが前記受信されたラウドパケットの信号強度を判定するステップと、
前記第３のＷＴＲＵが前記受信されたラウドパケットの送信電力を判定するステップと、
前記第３のＷＴＲＵが、前記判定された信号強度を前記判定された送信電力から差し引くことによって、前記第２のＷＴＲＵと前記第３のＷＴＲＵとの間の経路ロスを判定するステップと
を含むことを特徴とする方法。
【請求項２３】
前記第２のＷＴＲＵが、ラウドパケット生成応答メッセージを送信することによって、前記ラウドパケット生成要求メッセージに応答するステップをさらに含むことを特徴とする請求項２２に記載の方法。
【請求項２４】
前記ラウドパケット生成応答メッセージは、前記第２のＷＴＲＵが前記ラウドパケットを送信するために使用する前記送信電力を指し示すことを特徴とする請求項２３に記載の方法。
【請求項２５】
複数の無線送信／受信ユニット（ＷＴＲＵ）を含む無線通信システムの中で、経路ロスを推定するために使用されるラウドパケットの管理を調整する方法であって、
前記方法は、
前記ＷＴＲＵのうちの第１のＷＴＲＵがラウドパケット生成要求メッセージを送信するステップと、
前記ＷＴＲＵのうちの第２のＷＴＲＵが前記ラウドパケット生成要求メッセージを受信するステップと、
前記第２のＷＴＲＵが、前記ラウドパケット生成要求メッセージによって特定される情報を含んでいる少なくとも１つのラウドパケットを送信するステップと、
前記ＷＴＲＵのうちの第３のＷＴＲＵが前記少なくとも１つのラウドパケットを受信するステップと、
前記第３のＷＴＲＵが前記受信されたラウドパケットの信号強度を判定するステップと、
前記第３のＷＴＲＵが、前記ラウドパケットに含まれた情報に基づいて、前記受信されたラウドパケットの送信電力を判定するステップと、
前記第３のＷＴＲＵが、前記判定された信号強度を前記判定された送信電力から差し引くことによって、前記第２のＷＴＲＵと前記第３のＷＴＲＵとの間の経路ロスを判定するステップと
を含むことを特徴とする方法。
【請求項２６】
前記第２のＷＴＲＵが、ラウドパケット生成応答メッセージを送信することによって、前記ラウドパケット生成要求メッセージに応答するステップをさらに含むことを特徴とする請求項２５に記載の方法。
【請求項２７】
前記ラウドパケット生成応答メッセージは、前記第２のＷＴＲＵが前記ラウドパケットを送信するために使用する前記送信電力を指し示すことを特徴とする請求項２６に記載の方法。
【請求項２８】
複数の無線送信／受信ユニット（ＷＴＲＵ）を含む無線通信システムの中で、経路ロスを推定するために使用されるラウドパケットの管理を調整する方法であって、
前記方法は、
前記ＷＴＲＵのうちの第１のＷＴＲＵがラウドパケット生成要求メッセージを送信するステップと、
前記ＷＴＲＵのうちの第２のＷＴＲＵが前記ラウドパケット生成要求メッセージを受信するステップと、
前記第２のＷＴＲＵが、前記ラウドパケット生成要求メッセージによって特定された時間に少なくとも１つのラウドパケットを送信するステップと、
前記ＷＴＲＵのうちの第３のＷＴＲＵが前記少なくとも１つのラウドパケットを受信するステップと、
前記第３のＷＴＲＵが前記受信されたラウドパケットの信号強度を判定するステップと、
前記第３のＷＴＲＵが前記受信されたラウドパケットの送信電力を判定するステップと、
前記第３のＷＴＲＵが、前記判定された信号強度を前記判定された送信電力から差し引くことによって、前記第２のＷＴＲＵと前記第３のＷＴＲＵとの間の経路ロスを判定するステップと
を含むことを特徴とする方法。
【請求項２９】
前記第２のＷＴＲＵがラウドパケット生成応答メッセージを送信することによって、前記ラウドパケット生成要求メッセージに応答するステップをさらに含むことを特徴とする請求項２８に記載の方法。
【請求項３０】
前記ラウドパケット生成応答メッセージは、前記第２のＷＴＲＵが前記ラウドパケットを送信するために使用する前記送信電力を指し示すことを特徴とする請求項２９に記載の方法。
【請求項３１】
各々がスマートアンテナを含んでいる複数の無線送信／受信ユニット（ＷＴＲＵ）を含む無線通信システムの中で、経路ロスを推定するために使用されるラウドパケットの管理を調整する方法であって、
前記方法は、
前記ＷＴＲＵのうちの第１のＷＴＲＵが、ラウドパケットを送信するために使用されるべき前記スマートアンテナの特定のアンテナビームを特定するラウドパケット生成要求メッセージを受信するステップと、
前記第１のＷＴＲＵが、前記ラウドパケット生成要求メッセージによって特定された前記特定のアンテナビームを使用して、少なくとも１つのラウドパケットを送信するステップと、
前記ＷＴＲＵのうちの第２のＷＴＲＵが前記少なくとも１つのラウドパケットを受信するステップと、
前記第２のＷＴＲＵが前記受信されたラウドパケットの信号強度を判定するステップと、
前記第２のＷＴＲＵが前記受信されたラウドパケットの送信電力を判定するステップと、
前記第２のＷＴＲＵが、前記判定された信号強度を前記判定された送信電力から差し引くことによって、前記第１のＷＴＲＵと前記第２のＷＴＲＵとの間の経路ロスを判定するステップと
を含むことを特徴とする方法。
【請求項３２】
前記第２のＷＴＲＵが、ラウドパケットを受信するために使用される前記スマートアンテナの各アンテナビームについて経路ロスを判定するステップをさらに含むことを特徴とする請求項３１に記載の方法。
【請求項３３】
前記第１のＷＴＲＵが、ラウドパケットを送信するために使用される前記スマートアンテナの各アンテナビームについて経路ロスを判定するステップをさらに含むことを特徴とする請求項３１に記載の方法。
【請求項３４】
経路ロスを推定するために使用されるラウドパケットの管理を調整するための無線通信システムであって、
前記システムは、
調整ノードと、
複数の無線送信／受信ユニット（ＷＴＲＵ）と
を含み、
前記調整ノードはラウドパケット生成要求メッセージを送信し、
前記ＷＴＲＵのうちの第１のＷＴＲＵは前記ラウドパケット生成要求メッセージを受信して、前記ラウドパケット生成要求メッセージによって特定された送信電力で少なくとも１つのラウドパケットを送信し、
前記ＷＴＲＵのうちの第２のＷＴＲＵは前記少なくとも１つのラウドパケットを受信して、前記受信されたラウドパケットの信号強度を判定し、前記受信されたラウドパケットの送信電力を判定し、前記判定された信号強度を前記判定された送信電力から差し引くことによって、前記第１のＷＴＲＵと前記第２のＷＴＲＵとの間の経路ロスを判定することを特徴とするシステム。
【請求項３５】
前記調整ノードは、アクセスポイント（ＡＰ）であることを特徴とする請求項３４のシステム。
【請求項３６】
前記第１のＷＴＲＵは、ラウドパケット生成応答メッセージを送信することによって、前記ラウドパケット生成要求メッセージに応答することを特徴とする請求項３４に記載のシステム。
【請求項３７】
前記ラウドパケット生成応答メッセージは、前記第１のＷＴＲＵが前記ラウドパケットを送信するために使用する前記送信電力を指し示すことを特徴とする請求項３６に記載のシステム。
【請求項３８】
経路ロスを推定するために使用されるラウドパケットの管理を調整するための無線通信システムであって、
前記システムは、
調整ノードと、
複数の無線送信／受信ユニット（ＷＴＲＵ）と
を含み、
前記調整ノードはラウドパケット生成要求メッセージを送信し、
前記ＷＴＲＵのうちの第１のＷＴＲＵは前記ラウドパケット生成要求メッセージを受信して、前記ラウドパケット生成要求メッセージによって特定された時間に少なくとも１つのラウドパケットを送信し、
前記ＷＴＲＵのうちの第２のＷＴＲＵは前記少なくとも１つのラウドパケットを受信して、前記受信されたラウドパケットの信号強度を判定し、前記受信されたラウドパケットの送信電力を判定し、前記判定された信号強度を前記判定された送信電力から差し引くことによって、前記第１のＷＴＲＵと前記第２のＷＴＲＵとの間の経路ロスを判定することを特徴とするシステム。
【請求項３９】
前記調整ノードは、アクセスポイント（ＡＰ）であることを特徴とする請求項３８に記載のシステム。
【請求項４０】
前記第１のＷＴＲＵは、ラウドパケット生成応答メッセージを送信することによって、前記ラウドパケット生成要求メッセージに応答することを特徴とする請求項３８に記載のシステム。
【請求項４１】
前記ラウドパケット生成応答メッセージは、前記第１のＷＴＲＵが前記ラウドパケットを送信するために使用する前記送信電力を指し示すことを特徴とする請求項４０に記載のシステム。
【請求項４２】
経路ロスを推定するための無線送信／受信ユニット（ＷＴＲＵ）であって、
前記ＷＴＲＵは、
ラウドパケットを受信するための受信機と、
前記受信機に電気的に結合されたプロセッサであって、前記受信されたラウドパケットの信号強度、前記受信されたラウドパケットの送信電力、および前記第１のＷＴＲＵと前記第２のＷＴＲＵとの間の経路ロスを判定するように構成されているプロセッサと
を含み、
前記経路ロスは、前記判定された信号強度を前記判定された送信電力から差し引くことによって計算されることを特徴とするＷＴＲＵ。
【請求項４３】
前記プロセッサに電気的に結合された送信機であって、ラウドパケット生成要求メッセージを送信するように構成されている送信機をさらに含むことを特徴とする請求項４２に記載のＷＴＲＵ。
【請求項４４】
前記プロセッサに電気的に結合された送信機であって、受信機がラウドパケット生成要求メッセージを受信することに応答して、ラウドパケット生成応答メッセージを送信するように構成されている送信機をさらに含むことを特徴とする請求項４２に記載のＷＴＲＵ。
【請求項４５】
無線送信／受信ユニット（ＷＴＲＵ）であって、
ラウドパケットを受信および送信するために複数のアンテナビームを生成するように構成されたスマートアンテナと、
前記スマートアンテナに電気的に結合された受信機であって、ラウドパケット生成要求メッセージを受信するように構成されている受信機と、
前記受信機に電気的に結合されたプロセッサであって、前記ラウドパケット生成要求メッセージの中の情報に基づいて、少なくとも１つのラウドパケットを生成するように構成されているプロセッサと、
前記プロセッサと前記スマートアンテナとに電気的に結合された送信機であって、前記スマートアンテナと前記受信機とを介して以前に受信されたラウドパケットの中で得られた情報に従って、前記スマートアンテナによって生成されたアンテナビームを使用して前記少なくとも１つのラウドパケットを送信するように構成されている送信機と
を含むことを特徴とする無線送信／受信ユニット（ＷＴＲＵ）。
【請求項４６】
無線送信／受信ユニット（ＷＴＲＵ）であって、
ラウドパケットを受信および送信するために複数のアンテナビームを生成するように構成されたスマートアンテナと、
前記スマートアンテナに電気的に結合された送信機であって、ラウドパケット生成要求メッセージを送信するように構成されている送信機と、
前記スマートアンテナに電気的に結合された受信機であって、複数のラウドパケットを受信するように構成されている受信機と、
前記送信機と前記受信機とに電気的に結合されたプロセッサであって、前記ラウドパケットを受信するために使用された異なるアンテナビームに関連した経路ロスを判定するように構成されているプロセッサと
を含むことを特徴とする無線送信／受信ユニット（ＷＴＲＵ）。
【請求項４７】
経路ロスを推定するために無線送信／受信ユニット（ＷＴＲＵ）の中に組み込まれた集積回路（ＩＣ）であって、
前記ＩＣは、
ラウドパケットを受信するように構成された受信機と、
前記受信機に電気的に結合されたプロセッサであって、前記受信されたラウドパケットの信号強度、前記受信されたラウドパケットの送信電力、および前記第１のＷＴＲＵと前記第２のＷＴＲＵとの間の経路ロスを判定するように構成されているプロセッサと
を含み、
前記経路ロスは、前記判定された信号強度を前記判定された送信電力から差し引くことによって計算されることを特徴とするＩＣ。
【請求項４８】
前記プロセッサに電気的に結合された送信機であって、ラウドパケット生成要求メッセージを送信するように構成されている送信機をさらに含むことを特徴とする請求項４７に記載のＩＣ。
【請求項４９】
前記プロセッサに電気的に結合された送信機であって、前記受信機がラウドパケット生成要求メッセージを受信することに応答して、ラウドパケット生成応答メッセージを送信するように構成されている送信機をさらに含むことを特徴とする請求項４７に記載のＩＣ。
【請求項５０】
ラウドパケットを受信および送信するために複数のアンテナビームを生成するように構成されたスマートアンテナを有する無線送信／受信ユニット（ＷＴＲＵ）の中に組み込まれた集積回路（ＩＣ）であって、
前記ＩＣは、
ラウドパケット生成要求メッセージを受信するように構成された受信機と、
前記受信機に電気的に結合されたプロセッサであって、前記ラウドパケット生成要求メッセージの中の情報に基づいて、少なくとも１つのラウドパケットを生成するように構成されているプロセッサと、
前記プロセッサに電気的に結合された送信機であって、前記スマートアンテナと前記受信機とを介して以前に受信されたラウドパケットの中で得られた情報に従って、前記スマートアンテナによって生成されたアンテナビームを使用して前記少なくとも１つのラウドパケットを送信するように構成されている送信機と
を含むことを特徴とするＩＣ。
【請求項５１】
ラウドパケットを受信および送信するために複数のアンテナビームを生成するように構成されたスマートアンテナを有する無線送信／受信ユニット（ＷＴＲＵ）の中に組み込まれた集積回路（ＩＣ）であって、
前記ＩＣは、
前記スマートアンテナに電気的に結合された送信機であって、ラウドパケット生成要求メッセージを送信するように構成されている送信機と、
前記スマートアンテナに電気的に結合された受信機であって、複数のラウドパケットを受信するように構成されている受信機と、
前記送信機と前記受信機とに電気的に結合されたプロセッサであって、前記ラウドパケットを受信するために使用された異なるアンテナビームに関連した経路ロスを判定するように構成されているプロセッサと
を含むことを特徴とするＩＣ。
【発明の詳細な説明】
【技術分野】
【０００１】
本発明は、複数の無線送信／受信ユニット（ＷＴＲＵ）（すなわち移動局）を含む無線通信システム（例えば、無線ローカルエリアネットワーク（ＷＬＡＮ））に関する。より詳細には、本発明は、ＷＴＲＵ間の経路ロスを推定するためにラウドパケット（loud packet）を生成するための方法および装置に関する。
【背景技術】
【０００２】
多重アクセス方式がＩＥＥＥ８０２規格（例えば、ＩＥＥＥ８０２．１１）による搬送波感知多重アクセス／衝突回避方式（ＣＳＭＡ／ＣＡ）に基づいている無線システムにおいて、ＷＴＲＵは、同じチャネルを利用する近隣のＷＴＲＵから送信された受信信号の強度に基づいて、いつパケットの受信および送信を試みるのかを判定する。同時に送信を行うことを回避することによって、複数のＷＴＲＵは同じチャネルを共用しながら、お互いに干渉することを相互に回避することができる。
【０００３】
エネルギー検出閾値（ＥＤＴ：energy detect threshold）および延期閾値（ＤＴ：defer threshold）などの２、３の主要なパラメータは典型的に、いつパケットの送信または受信が可能であるのかを判定する際にＷＴＲＵによって使用される。ＥＤＴは、パケットの受信が試みられることになる最小の受信信号電力を表す。ＤＴは、ＷＴＲＵによるパケットの送信が延期されることになる最小の受信信号電力を表す。ＤＴ値は、ＥＤＴ値と同じ場合もあるし、同じでない場合もある。
【０００４】
ＣＳＭＡ／ＣＡの基本的な概念は簡単なものであるが、達成されることが可能な最大の能力について、能力が著しく減少することにつながる特定の状況が存在する。例えば、（異なる受信機と通信する）２つの送信機は、お互いに大きく干渉することなく同時に送信を行うことができるが、２つの送信機が自分自身の各ＥＤＴおよび／またはＤＴの値を上回って、お互いの通信を受ける（hear）ことから、２つの送信機は同時に送信を行わないという場合がある。このことは、以下の行為のうちの１つが生じれば回避されることが可能な、能力の浪費につながる。
【０００５】
ａ）ＷＴＲＵは自分自身の送信電力を減少させるので、ＥＤＴ（および／またはＤＴ）を上回ってお互いの通信を受けることはできないが、依然として最適なデータ速度で、各々の相手と通信することができること、
ｂ）ＷＴＲＵは自分自身のＥＤＴ（および／またはＤＴ）を高めるので、お互いから受信する信号はこの閾値を下回ること、または、
ｃ）ａ）とｂ）との組合せ。
【０００６】
ノードまたはシステムが、上述のパラメータ（送信電力、ＥＤＴ、ＤＴ）を判定し、設定する技術は、以下で延期管理（deferral management）と呼ばれる。ＷＴＲＵがお互いの間の経路ロスとともに、別のＷＴＲＵによって使用されるＥＤＴまたはＤＴの値を知っていれば、これらのパラメータの適切な設定が促進される。この情報によって、ＷＴＲＵ（またはＷＴＲＵの一部のパラメータを制御するアクセスポイント（ＡＰ）などのその他のノード）は、特定のレベルでの送信が所与の近隣にあるＷＴＲＵのためのＥＤＴを上回る受信信号につながるのか、またはそれを下回る受信信号につながるのかを予測することができる。この情報は以下で、能力を最適化することを目的とするアルゴリズムの中で使用されることが可能である。
【０００７】
経路ロスの推定を達成することは、位置測定の目的のためにも有効である場合がある。ＷＴＲＵのペアの間の経路ロスのセットについての情報とともに、複数の固定されたＷＴＲＵ（典型的にはＡＰまたはメッシュポイント（メッシュネットワーク中のＭＰ））の位置についての情報を使用して、ＷＴＲＵの場所を推定することができる。この推定は、１つまたは複数の異なるＷＴＲＵから経路ロス推定値を収集するノード（ＷＴＲＵであっても、ＷＴＲＵでなくてもよい）によって実行されることが可能である。
【発明の開示】
【発明が解決しようとする課題】
【０００８】
したがって、ＷＴＲＵが別のＷＴＲＵに対する経路ロスを確実に推定することができる方法が求められている。
【０００９】
解決されるべき問題点
第１のＷＴＲＵが、自分自身と、第１のＷＴＲＵの近隣にある第２のＷＴＲＵとの間の経路ロスを推定することができる１つの簡単な方法は、第１のＷＴＲＵのために、第２のＷＴＲＵによって使用された送信電力から第１のＷＴＲＵが感知した受信電力を差し引くというものである。この方法は、第１のＷＴＲＵが測定した信号を第２のＷＴＲＵが送信する電力を、第１のＷＴＲＵは判定することができるということを仮定する。以下のことは、なぜ現在のＷＬＡＮ技術の状況では、それが不可能であるのかを示す理由である。
【００１０】
１）現状の技術のＷＬＡＮにおいてＡＰ、ＷＴＲＵ、およびＭＰによる送信電力の設定は専用のものになっており、別のＷＴＲＵに通信されることがない。例えば、既存の８０２．１１ｈ／８０２．１１ｋの送信電力制御（ＴＰＣ）メカニズムは、調整目的のために限度を越えるべきではない基本サービスセット（ＢＳＳ）のために、最大の送信電力設定を課すだけである。任意のＷＴＲＵは、その内部的な専用の判定を別のＷＴＲＵ、ＡＰまたはＭＰに通信することなく、最大限課せられた制限を下回る送信電力を変更してもよいことを理解されたい。
【００１１】
２）各ＷＴＲＵが使用する送信電力は、パケットを基準として異なることが可能である。このことは、第１のＷＴＲＵのために、それを第２のＷＴＲＵから分離している経路ロスを推定する目的で、第１のＷＴＲＵは第２のＷＴＲＵからパケットを受信しなければならず、それによってパケットが送信された電力はパケットの内部で示されるということを意味している。上述の同じ例を使用して、そのようなパケットが送信されることを可能にする唯一の信号送信は、専用の双方向の信号交換を必要とし、周期的に設定されることが不可能な８０２．１１ｈ／８０２．１１ｋのＴＰＣ要求／ＴＰＣ報告フレーム交換メカニズムである。さらに、ＴＰＣ要求／ＴＰＣ報告は、ＢＳＳの外部にあるＷＴＲＵには送信されることが不可能である。ＷＴＲＵが、システム中のＢＳＳの内部およびそれらの間で隠れノードを作り出すことなくシステムの能力を増加させるように、ＷＴＲＵの送信電力およびＤＴ／ＥＤＴパラメータを調整することを目指すシナリオでは、異なるＷＴＲＵからのＷＴＲＵ間の経路ロスについての情報が、しばしば求められる。
【００１２】
３）多くのシナリオでは、第２のＷＴＲＵがその最大の電力よりも低い電力で送信を行うことから、第１のＷＴＲＵは第２のＷＴＲＵから通信を受けないことがある。第２のＷＴＲＵがバッテリ管理技術または延期管理技術を使用する場合がこれに当てはまると思われる。ＷＴＲＵが延期管理パラメータを調整することを目指すシナリオでは、ＷＴＲＵが他のＷＴＲＵから通信を受けない場合であっても、ＷＴＲＵの経路ロスを推定することが望ましい場合があるということに留意されたい。現在のところ、ＷＬＡＮノードのために、別のＷＬＡＮノードにその送信電力を高めることを命令する方法は存在せず、または使用されることが可能な最大電力を特定すること以外に、特定の送信電力を使用することを命ずる方法さえも存在していない。このことは、上述のＴＰＣ要求／ＴＰＣ報告についても当てはまる。
【００１３】
ＷＴＲＵ間の経路ロスの推定を支援するメカニズムに関する（またはメカニズムの欠如における）上述の論点は、複数の問題を提起する。一部の場合では、これらのメカニズムは、ＷＴＲＵに近隣のＷＴＲＵの送信電力についての値を仮定することを強いるが、この値は異なるＷＴＲＵ製造業者の間のばらつきや、近隣のＷＴＲＵが最大値よりも低い送信電力を使用する可能性を考えると、あまり正確なものではない。その他の場合では、２つのＷＴＲＵの間で任意の経路ロスの推定が行われることを、メカニズムが完全に回避する場合がある。
【課題を解決するための手段】
【００１４】
本発明は、複数のＷＴＲＵと調整ノード（例えば、アクセスポイント（ＡＰ））とを含む無線通信システム（例えば、ＷＬＡＮ）の中で実施される。ラウドパケットは、ＷＴＲＵのうちの第１のＷＴＲＵからＷＴＲＵのうちの第２のＷＴＲＵに送信される。調整ノードは、ラウドパケット生成要求メッセージを送信する。ＷＴＲＵのうちの第１のＷＴＲＵはラウドパケット生成要求メッセージを受信し、ラウドパケット生成要求メッセージによって特定された送信電力で少なくとも１つのラウドパケットを送信する。任意で、第１のＷＴＲＵはラウドパケット生成応答メッセージを送信する。ＷＴＲＵのうちの第２のＷＴＲＵはラウドパケットを受信し、判定されたラウドパケットの送信電力からラウドパケットの信号強度を差し引くことによって、第１のＷＴＲＵと第２のＷＴＲＵとの間の経路ロスを判定する。
【００１５】
例として示され、添付の図面と合わせて理解されるべき以下の説明から、本発明のより詳細な理解が得られる。
【発明を実施するための最良の形態】
【００１６】
以下で言及される場合、ＷＴＲＵは、以下のものに限定されるわけではないが、ユーザ機器（ＵＥ）、移動局、固定式または移動式の加入者ユニット、ページャ、または無線環境の中で動作することが可能な任意のその他の種類のデバイスを含む。以下で言及される場合、アクセスポイント（ＡＰ）は、以下のものに限定されるわけではないが、ノード−Ｂ、サイトコントローラ、基地局、または無線通信環境の中の任意のその他の種類のインタフェースデバイスを含む。
【００１７】
以下の説明では、ＷＴＲＵは無線通信システム（例えば、ＩＥＥＥ８０２のＷＬＡＮシステム）の中の任意のノード、独立基本サービスセット（ＩＢＳＳ）もしくはインフラストラクチャ基本サービスセット（ＢＳＳ）の中の局（ＡＰまたはＡＰではないもの）、またはメッシュネットワークの中のメッシュポイント、メッシュＡＰもしくはメッシュポータルを指す場合がある。
【００１８】
本発明の特徴は集積回路（ＩＣ）に組み込まれてもよく、または多数の相互接続した構成部品を含む回路の中で構成されてもよい。
【００１９】
ラウドパケットの概念
本発明の１つの実施形態によって、ＷＴＲＵは時々、パケット（以下「ラウドパケット」と呼ばれる）を高い送信電力で送信し、それによってパケットが送信される値が別のＷＴＲＵに知られる。これらのラウドパケットは、任意の特定のＷＴＲＵまたはＷＴＲＵのグループに向けられる必要はないが、単純に、同じ周波数チャネル上で受信を行うＷＴＲＵのセットに対してブロードキャストされることが可能である。ラウドパケットを送信するＷＴＲＵに対する経路ロスの推定値を計算しようとする近隣のＷＴＲＵは、受信されたラウドパケットの信号強度を、示されているか、またはわかっているラウドパケットの送信電力と単純に比較することによって、経路ロスの推定値を計算することができる。例えば、経路ロスの推定値は以下の式を使用することによって得られることが可能である。
【００２０】
【数１】
2008538682.tif 000003
【００２１】
好ましくは、ラウドパケットの送信電力は、ラウドパケット自体の中で情報フィールドとして示される。代替として、この送信電力はまた、ＡＰによって周期的にブロードキャストされるか、ＡＰと連携して各ＷＴＲＵに示されるか、または別の信号交換の一部としてＷＴＲＵに通信されてもよい。この場合、それが通常のパケットではなく、ラウドパケットであることを受信を行うＷＴＲＵに示すために、ラウドパケットの中に存在する情報フィールドがあってもよい。好ましくは、ラウドパケットの送信電力は、ラウドパケットを送信するＷＴＲＵの最大送信電力と等しいものであるべきである。このことは、ラウドパケットがうまく受信されるための最も広い可能エリア、および最も信頼できる推定を確実にする。しかしながら、これは強制的なものではない。ラウドパケット以外のパケットは、別のシステムパラメータに対する交換条件として、より低い電力で送信される場合があるということに留意されたい。
【００２２】
ラウドパケットを送信するＷＴＲＵの識別子（例えば、ＭＡＣアドレス）もまた情報フィールドの中に含まれるべきなので、受信を行うＷＴＲＵは、どのＷＴＲＵが経路ロスの推定に対応するのかを知る。
【００２３】
代替としてラウドパケットは、送信機によって選択され、受信機に知られている送信電力で送信される任意の既存の信号送信フレームによって実施されることが可能である。例えば、送信電力は、既存の信号送信フレームの中の添付またはピギーバックされた（piggy-backed）情報要素（ＩＥ）から、受信機によって明確に知られてもよい。代替として、ラウドパケットのための送信電力は、ラウドパケットの送信者との以前の信号交換の一部として、受信機によって知られることが可能である。
【００２４】
１つの有利な実現化の中で、ラウドパケットの役割を果たすためにビーコン／プローブ応答フレームが使用される。それらの各々の送信電力は、ビーコン／プローブ要求フレーム自体の一部であることが可能であるか、またはそれらのフレームのための同意された所定の送信電力設定は、近隣情報信号送信などのその他の手段によってＷＴＲＵに通信される。
【００２５】
ラウドパケットの中で報告されるさらなる情報
ラウドパケットは、受信を行うＷＴＲＵがそれらのパラメータ（送信電力、ＥＤＴ、ＤＴ）を最適化するのを助けるための柔軟な報告メカニズムとして使用されることが可能である。送信を行うＷＴＲＵ（送信者）によって、（ラウドパケットのＷＴＲＵ識別子および送信電力か、または必要な場合には独立の信号送信に加えて）以下のパラメータが報告されてもよい。
【００２６】
１）インフラストラクチャＢＳＳの中での、ＷＴＲＵに関連したＡＰのアドレスまたは識別子（および／またはＢＳＳ、ＩＢＳＳまたはメッシュ識別子）
２）ラウドパケット以外のパケットを送信するために使用される電力
３）送信者によって感知される別のＷＴＲＵに対する経路ロスの推定値のリスト
４）（各々別のＷＴＲＵのための１つの値である）送信者が別のＷＴＲＵから受信したパケットの信号強度（またはそれらの平均値）のリスト
５）（各々別のＷＴＲＵのための１つの値である）特定の時間内で送信者が別のＷＴＲＵから受信したパケットの総持続時間のリスト
６）送信者によって使用されるか、または別のＷＴＲＵについて送信者によって知られているＥＤＴ
７）送信者によって使用されるか、または別のＷＴＲＵについて送信者によって知られているクリアチャネル評価（ＣＣＡ）（clear channel assessment）方式
８）パケットを送信するために送信者によって使用されるか、または別のＷＴＲＵについて送信者によって知られているＤＴ
【００２７】
ピギーバックの選択肢
ラウドパケットは使用する信号送信帯域の量を制限するために、（トラフィック情報、制御情報、または管理情報を含む）別の種類のパケットにピギーバックされてもよい。その場合、好ましくは全部のパケットは、ラウドパケットの電力で送信されるべきである。
【００２８】
調整されたラウドパケット送信の管理
ラウドパケットの送信は、特定のＷＴＲＵに限定される必要はない。しかしながら、この送信はある程度調整ノードによって制御されるのが望ましい場合がある。典型的には、ＡＰはインフラストラクチャＢＳＳの中で調整ノードの役割を果たすべきである。調整ノードによってラウドパケットの生成を制御することには、システムの中で使用する際に、特定の延期管理技術または位置測定技術によって決まる最低限の処理能力を保証するという利点がある。
【００２９】
図１は、本発明によって構成された無線通信システム１００の中で、調整ノード１０５から１つまたは複数のＷＴＲＵ１１０１〜１１０Ｎにラウドパケットが送信される信号流れ図である。ラウドパケット送信の管理は、調整ノード１０５（例えば、１つのＡＰ）から、ラウドパケットを送信するためのものである１つまたは複数のＷＴＲＵ１１０への信号送信によって達成されることが可能である。そのような信号送信は、調整ノード１０５に、ＷＴＲＵ１１０へのラウドパケット生成要求メッセージ１１５の第１の送信を行わせることによって、実施されることが可能である。ラウドパケット生成要求メッセージ１１５は、調整ノード１０５（例えばＢＳＳのすべてのＷＴＲＵなど）の制御下のすべてのＷＴＲＵ１１０に対するブロードキャストメッセージ、マルチキャストメッセージ、またはユニキャストメッセージであってもよい。ラウドパケット生成要求メッセージ１１５はまた、例えば接続／認証（association/authentication）またはアドミッション制御プロシージャに関与するフレームなどの既存のＩＥＥＥ８０２の信号送信交換のうちの１つに添付されてもよい。
【００３０】
ラウドパケット生成要求メッセージ１１５の中に含まれる情報は、以下のうちの１つまたは複数を示すものであってもよい。
【００３１】
１）ラウドパケットに使用するための送信電力
２）ラウドパケットの中で報告を行うための（上で挙げられたすべての可能なフィールドの中の）情報
３）１つまたは複数のラウドパケットの送信のタイミング。限定されるわけではないが、以下のものを含む複数の選択肢が可能である。
【００３２】
ｉ）連続したラウドパケット送信の間の特定の期間で、周期的またはほぼ周期的に行われるもの
ｉｉ）特定の時間枠内の特定の回数（例えば１回など）
ｉｉｉ）以下の特定の条件（トリガ）を満たした後に行われるもの
ａ）新たなＷＴＲＵによって送信されたパケットの検出、または
ｂ）特定の閾値を上回る、ある期間内で再送信されたパケットの数
４）特定の閾値を上回る、ある期間内で再送信されたパケットである受信パケットの数
５）ラウドパケットが別のパケットにピギーバックされるべきか（またはピギーバックされるべきではないか）どうかを示す表示
６）別のＷＴＲＵによるラウドパケットの生成についての情報（すなわち、受信を行うＷＴＲＵ以外のＷＴＲＵについての上記のもののすべて）
【００３３】
ラウドパケット生成要求メッセージ１１５を受信するＷＴＲＵは任意で、図１に示されているように、ラウドパケット生成応答メッセージ１２０で応答してもよい。ラウドパケット生成応答メッセージは、ラウドパケットを送信するためにＷＴＲＵが使用する送信電力を、（それが要求メッセージの中で特定されていない場合か、またはそれが要求されたものと違っている場合には）示してもよい。このことは、ラウドパケットの送信電力がラウドパケット自体の中で示されていない場合に有効である。１つの実施形態で、ラウドパケット生成要求はラウドパケットのフィールドの中に含まれてもよい。したがって、別のＷＴＲＵに対する経路ロスを推定するために、ラウドパケット生成要求メッセージ自体が１つのＷＴＲＵによって使用されてもよい。
【００３４】
調整が行われないラウドパケット送信の管理
上述の調整された管理方法の代わりとして、ＷＴＲＵは、ラウドパケットをいつ送信するのかということと、ラウドパケットの中でどんな情報を報告するのかということとを自主的に判定することができる。この動作は、ある基準に従ったＷＴＲＵについて、事前に同意されることが可能である。
【００３５】
その他の方法は、（調整ノードだけではない）任意のＷＴＲＵが、別のＷＴＲＵにラウドパケット生成要求メッセージを送信することを可能にするというものである。そのような方式は、アドホックシステムおよびメッシュシステムで適していると思われる。
【００３６】
スマートアンテナのための支援
上述の説明は、単純なアンテナを使用するＷＴＲＵに適したものである。スマートアンテナ（すなわち、マルチビームまたは切り替えビームアンテナ）を備えたＷＴＲＵを支援するために、ラウドパケットの中にいくつかのさらなる情報を含むことが有効であると思われる。
【００３７】
１）ラウドパケットを送信するために、ＷＴＲＵによって使用されるアンテナビーム（これは調整ノードによるラウドパケット生成要求メッセージの中で特定されてもよい）。第１のＷＴＲＵと第２のＷＴＲＵとの間の経路ロスは、どのアンテナビームが使用されるのかによって決まる。ラウドパケットを送信するＷＴＲＵが異なるアンテナビームを使用しているかもしれない場合、受信を行うＷＴＲＵは、これらのビームのうちのどれがラウドパケットを送信するために使用されたのかを知らなければならないので、受信を行うＷＴＲＵは、経路ロスの測定値が接続されるべきアンテナビームを知る。
【００３８】
２）ラウドパケット以外のパケットを送信するために、ＷＴＲＵによって使用されるアンテナビーム。進化型の延期管理アルゴリズムは、受信を行うＷＴＲＵのパラメータ（例えば、延期閾値）を適切に設定するために、この情報を知る必要がある。
【００３９】
３）パケットを受信するために、ＷＴＲＵによって使用されるアンテナビーム。これは、ラウドパケットを受信するＷＴＲＵによるものではなく、ラウドパケットを送信するＷＴＲＵによる受信のために使用されるアンテナビームである。したがってラウドパケットを送信するＷＴＲＵは、パケットを受信する場合にはいつでも別のＷＴＲＵに通知を行い、ラウドパケットを送信するために現在使用されているものとは異なっていてもよい、あるアンテナビームを使用している。この情報は、ある電力での送信がこのＷＴＲＵでの延期につながるのか（またはつながらないのか）どうかがわかるので、別のＷＴＲＵにとって有効なものである。
【００４０】
図２は、本発明によってラウドパケットの送信および受信を各々行う、スマートアンテナ２２２、２４２を使用する複数のＷＴＲＵ２０５１、２０５２を含む無線通信システム２００のブロック図である。ＷＴＲＵ２０５１は、プロセッサ２１０と送信機２１５と受信機２２０とを含む。ＷＴＲＵ２０５２は、プロセッサ２２５と送信機２３０と受信機２３５とを含む。
【００４１】
ＷＴＲＵ２０５のプロセッサ２１０と２２５とは、送信機２１５および２３０、ならびにスマートアンテナ２２２、２４２を介してそれぞれ送信されるラウドパケット、ラウドパケット生成要求メッセージ１１５、および任意でラウドパケット生成応答メッセージ１２０を生成するように各々構成されている。さらにＷＴＲＵ２０５の受信機２２０、２３５の各々は、後でプロセッサ２１０、２２５によって処理されるラウドパケット、ラウドパケット生成要求メッセージ１１５、および任意でラウドパケット生成応答メッセージ１２０を、スマートアンテナ２２２、２４２を介して受信するように構成されている。
【００４２】
ラウドパケット情報を使用して、ラウドパケットを受信するＷＴＲＵ２０５は、ラウドパケットを送信および受信するためにＷＴＲＵ２０５によって使用されるスマートアンテナ２２２、２４２の各アンテナビームについて別個の経路ロス推定を判定することができる。「経路ロス」は送信／受信アンテナによる利得を含み、異なるラウドパケットを受信および送信するために異なるビームが使用されるということを理解されたい。
【００４３】
図３は、本発明の１つの実施形態による、２つのＷＴＲＵ間の経路ロスを推定するプロセス３００の流れ図である。プロセス３００は、複数のＷＴＲＵ２０５１と２０５２とを含む図２のシステム２００などの無線通信システムの中で実施される。第１のＷＴＲＵ２０５１は、ラウドパケットを送信する（ステップ３０５）。第２のＷＴＲＵ２０５２はラウドパケットを受信して（ステップ３１０）、受信されたラウドパケットの信号強度を（ｄＢで）判定し（ステップ３１５）、（例えば、ラウドパケット自体からか、またはどの送信電力が使用されるべきかを示すラウドパケット生成要求メッセージから送信電力を得ることによって）受信されたラウドパケットの送信電力を（ｄＢで）判定する（ステップ３２０）。ＷＴＲＵ２０５２は、ステップ３１５で判定された信号強度をステップ３２０で判定された送信電力から差し引くことによって、ＷＴＲＵ２０５１とＷＴＲＵ２０５２との間の経路ロスを判定する（ステップ３２５）。
【００４４】
図４は、本発明の別の実施形態による、調整ノードによって送信されたラウドパケット生成要求メッセージの中に含まれる情報に基づいて、２つのＷＴＲＵ間の経路ロスを推定するプロセス４００の流れ図である。プロセス４００は、調整ノード１０５と複数のＷＴＲＵ１１０１〜１１０Ｎとを含む図１のシステム１００などの無線通信システムの中で実施される。調整ノード１０５は、ラウドパケット生成要求メッセージを送信する（ステップ４０５）。ＷＴＲＵ１１０のうちの第１のＷＴＲＵは、ラウドパケット生成要求メッセージを受信する（ステップ４１０）。任意のステップ４１５で、第１のＷＴＲＵはラウドパケット生成応答メッセージを送信することによって、ラウドパケット生成要求メッセージに応答する。ステップ４２０で、第１のＷＴＲＵは、ラウドパケット生成要求メッセージによって特定された情報を含む少なくとも１つのラウドパケットを送信する。ステップ４２５で、ＷＴＲＵ１１０のうちの第２のＷＴＲＵは少なくとも１つのラウドパケットを受信して、受信されたラウドパケットの信号強度を（ｄＢで）判定し（ステップ４３０）、ラウドパケットに含まれた情報に基づいて、受信されたラウドパケットの送信電力を（ｄＢで）判定する（ステップ４３５）。ステップ４４０で、第２のＷＴＲＵはステップ４３０で判定された信号強度をステップ４３５で判定された送信電力から差し引くことによって、第１のＷＴＲＵと第２のＷＴＲＵとの間の経路ロスを判定する。
【００４５】
図５は、本発明のさらに別の実施形態による、第３のＷＴＲＵによって送信されたラウドパケット生成要求メッセージによって特定された条件に基づいて、２つのＷＴＲＵ間の経路ロスを推定するプロセス５００の流れ図である。複数のＷＴＲＵのうちの第１のＷＴＲＵは、ラウドパケット生成要求メッセージを送信する（ステップ５０５）。ＷＴＲＵのうちの第２のＷＴＲＵは、ラウドパケット生成要求メッセージを受信する（ステップ５１０）。任意のステップ５１５で、第２のＷＴＲＵはラウドパケット生成応答メッセージを送信することによって、ラウドパケット生成要求メッセージに応答する。ステップ５２０で、第２のＷＴＲＵはラウドパケット生成要求メッセージによって特定された条件に基づいて、少なくとも１つのラウドパケットを送信する（例えば、スマートアンテナの特定のアンテナビームまたはその他を使用して、特定の時間に、特定の送信電力での送信）。ステップ５２５で、ＷＴＲＵのうちの第３のＷＴＲＵは少なくとも１つのラウドパケットを受信して、受信されたラウドパケットの信号強度を（ｄＢで）判定し（ステップ５３０）、受信されたラウドパケットの送信電力を（ｄＢで）判定する（ステップ５３５）。ステップ５４０で、第３のＷＴＲＵは、ステップ５３０で判定された信号強度をステップ５３５で判定された送信電力から差し引くことによって、第２のＷＴＲＵと第３のＷＴＲＵとの間の経路ロスを判定する。
【００４６】
従来の無線通信システムでは、近隣のＷＴＲＵに対する経路ロスの推定は、近隣のＷＴＲＵの送信電力についての情報が欠如していることから、かなり不確実なものになりやすい。ＷＴＲＵが、所与のパケットがどの電力で送信されたのかを知ることを可能にする唯一の信号送信はＴＰＣ要求／報告であり、これは専用の双方向信号送信を必要とし、周期的に設定されることが不可能である。この問題は、ＷＴＲＵの送信電力がラウドパケット自体か、またはその他のものの中で示されるようにすることによって、本発明の中で対処される。
【００４７】
さらに従来の無線通信システムでは、最大の送信レベルよりもずっと低い電力で送信を行うＷＴＲＵは、広い範囲の中で別のＷＴＲＵによって通信を受け取られることが不可能であり、このことは任意の経路ロス推定が実行されることを妨げる。ＷＴＲＵがその延期パラメータを調整することを目的とするシナリオでは、ＷＴＲＵが現在の送信電力において別のＷＴＲＵの通信を受けることができない場合であっても、ＷＴＲＵを別の近隣のＷＴＲＵから区別する経路ロスを推定することが、ＷＴＲＵとって望ましい場合があるということに留意されたい。本発明はこの問題を解決する。
【００４８】
さらに従来の無線通信システムでは、ＷＴＲＵが同じＢＳＳに接続していない場合、これらのＷＴＲＵを近隣のＷＴＲＵから区別する経路ロスを正確に推定することは、ＷＴＲＵには不可能である。本発明は、ＷＴＲＵによるラウドパケットの生成を制御することによって、この問題に対する解決法を提供する。
【００４９】
最後に、スマートアンテナを備えたＷＴＲＵを用いる従来の無線通信システムの中には、経路ロス推定に対する支援が存在しない。本発明は、ＷＴＲＵがスマートアンテナを備えている場合に、ＷＴＲＵ間の経路ロス推定を支援する。
【００５０】
実施形態
１．複数の無線送信／受信ユニット（ＷＴＲＵ）を含む無線通信システムの中で、経路ロスを推定する方法であって、
該方法は、
該ＷＴＲＵのうちの第１のＷＴＲＵがラウドパケットを送信するステップと、
該ＷＴＲＵのうちの第２のＷＴＲＵが該ラウドパケットを受信するステップと、
該第２のＷＴＲＵが該受信されたラウドパケットの信号強度を判定するステップと、
該第２のＷＴＲＵが該受信されたラウドパケットの送信電力を判定するステップと、
該第２のＷＴＲＵが、該判定された信号強度を該判定された送信電力から差し引くことによって、該第１のＷＴＲＵと該第２のＷＴＲＵとの間の経路ロスを判定するステップと
を含むことを特徴とする方法。
【００５１】
２．該送信電力は、該ラウドパケットによって含まれる情報フィールドの中で示されることを特徴とする実施形態１に記載の方法。
【００５２】
３．該無線通信システムはアクセスポイント（ＡＰ）をさらに含み、
該送信電力は、該第１のＷＴＲＵの最大送信電力を含んでいるフィールドを含むアクセスポイント（ＡＰ）によって周期的にブロードキャストされることを特徴とする実施形態１に記載に記載の方法。
【００５３】
４．該無線通信システムはアクセスポイント（ＡＰ）をさらに含み、
該送信電力は、該第２のＷＴＲＵが該ＡＰと接続する場合に該第２のＷＴＲＵによって示されることを特徴とする実施形態１に記載の方法。
【００５４】
５．該ラウドパケットは、該第１のＷＴＲＵの該最大送信電力を示す情報フィールドを含むことを特徴とする実施形態１に記載の方法。
【００５５】
６．該ラウドパケットは、該第１のＷＴＲＵを識別する識別子を含んでいる情報フィールドを含むことを特徴とする実施形態１に記載の方法。
【００５６】
７．該識別子は媒体アクセス制御（ＭＡＣ）アドレスであることを特徴とする実施形態６に記載の方法。
【００５７】
８．該ラウドパケットは、ＩＥＥＥ８０２．１１の信号送信フレームを含むことを特徴とする実施形態１に記載の方法。
【００５８】
９．該ラウドパケットを別の種類のパケットにピギーバックするステップをさらに含むことを特徴とする実施形態１に記載の方法。
【００５９】
１０．複数の無線送信／受信ユニット（ＷＴＲＵ）と調整ノードとを含む無線通信システムの中で、経路ロスを推定するために使用されるラウドパケットの管理を調整する方法であって、
該方法は、
該調整ノードがラウドパケット生成要求メッセージを送信するステップと、
該ＷＴＲＵのうちの第１のＷＴＲＵが該ラウドパケット生成要求メッセージを受信するステップと、
該第１のＷＴＲＵが、該ラウドパケット生成要求メッセージによって特定された送信電力で少なくとも１つのラウドパケットを送信するステップと、
該ＷＴＲＵのうちの第２のＷＴＲＵが該少なくとも１つのラウドパケットを受信するステップと、
該第２のＷＴＲＵが該受信されたラウドパケットの信号強度を判定するステップと、
該第２のＷＴＲＵが該受信されたラウドパケットの送信電力を判定するステップと、
該第２のＷＴＲＵが、該判定された信号強度を該判定された送信電力から差し引くことによって、該第１のＷＴＲＵと該第２のＷＴＲＵとの間の経路ロスを判定するステップと
を含むことを特徴とする方法。
【００６０】
１１．該調整ノードはアクセスポイント（ＡＰ）であることを特徴とする実施形態１０に記載の方法。
【００６１】
１２．該第１のＷＴＲＵが、ラウドパケット生成応答メッセージを送信することによって、該ラウドパケット生成要求に応答するステップをさらに含むことを特徴とする実施形態１０に記載の方法。
【００６２】
１３．該ラウドパケット生成応答メッセージは、該第１のＷＴＲＵが該ラウドパケットを送信するために使用する該送信電力を示すことを特徴とする実施形態１２に記載の方法。
【００６３】
１４．複数の無線送信／受信ユニット（ＷＴＲＵ）と調整ノードとを含む無線通信システムの中で、経路ロスを推定するために使用されるラウドパケットの管理を調整する方法であって、
該方法は、
該調整ノードがラウドパケット生成要求メッセージを送信するステップと、
該ＷＴＲＵのうちの第１のＷＴＲＵが該ラウドパケット生成要求メッセージを受信するステップと、
該第１のＷＴＲＵが、該ラウドパケット生成要求メッセージによって特定された情報を含んでいる少なくとも１つのラウドパケットを送信するステップと、
該ＷＴＲＵのうちの第２のＷＴＲＵが該少なくとも１つのラウドパケットを受信するステップと、
該第２のＷＴＲＵが該受信されたラウドパケットの信号強度を判定するステップと、
該第２のＷＴＲＵが該ラウドパケットの中に含まれた情報に基づいて、該受信されたラウドパケットの送信電力を判定するステップと、
該第２のＷＴＲＵが、該判定された信号強度を該判定された送信電力から差し引くことによって、該第１のＷＴＲＵと該第２のＷＴＲＵとの間の経路ロスを判定するステップと
を含むことを特徴とする方法。
【００６４】
１５．該調整ノードは、アクセスポイント（ＡＰ）であることを特徴する実施形態１４に記載の方法。
【００６５】
１６．該第１のＷＴＲＵが、ラウドパケット生成応答メッセージを送信することによって、該ラウドパケット生成要求メッセージに応答するステップをさらに含むことを特徴とする実施形態１４に記載の方法。
【００６６】
１７．該ラウドパケット生成応答メッセージは、該第１のＷＴＲＵが該ラウドパケットを送信するために使用する該送信電力を指し示すことを特徴とする実施形態１６に記載の方法。
【００６７】
１８．複数の無線送信／受信ユニット（ＷＴＲＵ）と調整ノードとを含む無線通信システムの中で、経路ロスを推定するために使用されるラウドパケットの管理を調整する方法であって、
該方法は、
該調整ノードがラウドパケット生成要求メッセージを送信するステップと、
該ＷＴＲＵのうちの第１のＷＴＲＵが該ラウドパケット生成要求メッセージを受信するステップと、
該第１のＷＴＲＵが、該ラウドパケット生成要求メッセージによって特定された時間に少なくとも１つのラウドパケットを送信するステップと、
該ＷＴＲＵのうちの第２のＷＴＲＵが該少なくとも１つのラウドパケットを受信するステップと、
該第２のＷＴＲＵが該受信されたラウドパケットの信号強度を判定するステップと、
該第２のＷＴＲＵが該受信されたラウドパケットの送信電力を判定するステップと、
該第２のＷＴＲＵが、該判定された信号強度を該判定された送信電力から差し引くことによって、該第１のＷＴＲＵと該第２のＷＴＲＵとの間の経路ロスを判定するステップと
を含むことを特徴とする方法。
【００６８】
１９．該調整ノードは、アクセスポイント（ＡＰ）であることを特徴とする実施形態１８に記載の方法。
【００６９】
２０．該第１のＷＴＲＵが、ラウドパケット生成応答メッセージを送信することによって、該ラウドパケット生成要求メッセージに応答するステップをさらに含むことを特徴とする実施形態１８に記載の方法。
【００７０】
２１．該ラウドパケット生成応答メッセージは、該第１のＷＴＲＵが該ラウドパケットを送信するために使用する該送信電力を指し示すことを特徴とする実施形態２０に記載の方法。
【００７１】
２２．複数の無線送信／受信ユニット（ＷＴＲＵ）を含む無線通信システムの中で、経路ロスを推定するために使用されるラウドパケットの管理を調整する方法であって、
該方法は、
該ＷＴＲＵのうちの第１のＷＴＲＵがラウドパケット生成要求メッセージを送信するステップと、
該ＷＴＲＵのうちの第２のＷＴＲＵが該ラウドパケット生成要求メッセージを受信するステップと、
該第２のＷＴＲＵが、該ラウドパケット生成要求メッセージによって特定される送信電力で少なくとも１つのラウドパケットを送信するステップと、
該ＷＴＲＵのうちの第３のＷＴＲＵが該少なくとも１つのラウドパケットを受信するステップと、
該第３のＷＴＲＵが該受信されたラウドパケットの信号強度を判定するステップと、
該第３のＷＴＲＵが該受信されたラウドパケットの送信電力を判定するステップと、
該第３のＷＴＲＵが、該判定された信号強度を該判定された送信電力から差し引くことによって、該第２のＷＴＲＵと該第３のＷＴＲＵとの間の経路ロスを判定するステップと
を含むことを特徴とする方法。
【００７２】
２３．該第２のＷＴＲＵが、ラウドパケット生成応答メッセージを送信することによって、該ラウドパケット生成要求メッセージに応答するステップをさらに含むことを特徴とする実施形態２２に記載の方法。
【００７３】
２４．該ラウドパケット生成応答メッセージは、該第２のＷＴＲＵが該ラウドパケットを送信するために使用する該送信電力を指し示すことを特徴とする実施形態２３に記載の方法。
【００７４】
２５．複数の無線送信／受信ユニット（ＷＴＲＵ）を含む無線通信システムの中で、経路ロスを推定するために使用されるラウドパケットの管理を調整する方法であって、
該方法は、
該ＷＴＲＵのうちの第１のＷＴＲＵがラウドパケット生成要求メッセージを送信するステップと、
該ＷＴＲＵのうちの第２のＷＴＲＵが該ラウドパケット生成要求メッセージを受信するステップと、
該第２のＷＴＲＵが、該ラウドパケット生成要求メッセージによって特定される情報を含んでいる少なくとも１つのラウドパケットを送信するステップと、
該ＷＴＲＵのうちの第３のＷＴＲＵが該少なくとも１つのラウドパケットを受信するステップと、
該第３のＷＴＲＵが該受信されたラウドパケットの信号強度を判定するステップと、
該第３のＷＴＲＵが、該ラウドパケットに含まれた該情報に基づいて、該受信されたラウドパケットの送信電力を判定するステップと、
該第３のＷＴＲＵが、該判定された信号強度を該判定された送信電力から差し引くことによって、該第２のＷＴＲＵと該第３のＷＴＲＵとの間の経路ロスを判定するステップと
を含むことを特徴とする方法。
【００７５】
２６．該第２のＷＴＲＵが、ラウドパケット生成応答メッセージを送信することによって、該ラウドパケット生成要求メッセージに応答するステップをさらに含むことを特徴とする実施形態２５に記載の方法。
【００７６】
２７．該ラウドパケット生成応答メッセージは、該第２のＷＴＲＵが該ラウドパケットを送信するために使用する該送信電力を指し示すことを特徴とする実施形態２６に記載の方法。
【００７７】
２８．複数の無線送信／受信ユニット（ＷＴＲＵ）を含む無線通信システムの中で、経路ロスを推定するために使用されるラウドパケットの管理を調整する方法であって、
該方法は、
該ＷＴＲＵのうちの第１のＷＴＲＵがラウドパケット生成要求メッセージを送信するステップと、
該ＷＴＲＵのうちの第２のＷＴＲＵが該ラウドパケット生成要求メッセージを受信するステップと、
該第２のＷＴＲＵが、該ラウドパケット生成要求メッセージによって特定された時間に少なくとも１つのラウドパケットを送信するステップと、
該ＷＴＲＵのうちの第３のＷＴＲＵが該少なくとも１つのラウドパケットを受信するステップと、
該第３のＷＴＲＵが該受信されたラウドパケットの信号強度を判定するステップと、
該第３のＷＴＲＵが該受信されたラウドパケットの送信電力を判定するステップと、
該第３のＷＴＲＵが、該判定された信号強度を該判定された送信電力から差し引くことによって、該第２のＷＴＲＵと該第３のＷＴＲＵとの間の経路ロスを判定するステップと
を含むことを特徴とする方法。
【００７８】
２９．該第２のＷＴＲＵがラウドパケット生成応答メッセージを送信することによって、該ラウドパケット生成要求メッセージに応答するステップをさらに含むことを特徴とする実施形態２８に記載の方法。
【００７９】
３０．該ラウドパケット生成応答メッセージは、該第２のＷＴＲＵが該ラウドパケットを送信するために使用する該送信電力を指し示すことを特徴とする実施形態２９に記載の方法。
【００８０】
３１．各々がスマートアンテナを含んでいる複数の無線送信／受信ユニット（ＷＴＲＵ）を含む無線通信システムの中で、経路ロスを推定するために使用されるラウドパケットの管理を調整する方法であって、
該方法は、
該ＷＴＲＵのうちの第１のＷＴＲＵが、ラウドパケットを送信するために使用されるべき該スマートアンテナの特定のアンテナビームを特定するラウドパケット生成要求メッセージを受信するステップと、
該第１のＷＴＲＵが、該ラウドパケット生成要求メッセージによって特定された該特定のアンテナビームを使用して、少なくとも１つのラウドパケットを送信するステップと、
該ＷＴＲＵのうちの第２のＷＴＲＵが該少なくとも１つのラウドパケットを受信するステップと、
該第２のＷＴＲＵが該受信されたラウドパケットの信号強度を判定するステップと、
該第２のＷＴＲＵが該受信されたラウドパケットの送信電力を判定するステップと、
該第２のＷＴＲＵが、該判定された信号強度を該判定された送信電力から差し引くことによって、該第１のＷＴＲＵと該第２のＷＴＲＵとの間の経路ロスを判定するステップと
を含むことを特徴とする方法。
【００８１】
３２．該第２のＷＴＲＵが、ラウドパケットを受信するために使用される該スマートアンテナの各アンテナビームについて経路ロスを判定するステップをさらに含むことを特徴とする実施形態３１に記載の方法。
【００８２】
３３．該第１のＷＴＲＵが、ラウドパケットを送信するために使用される該スマートアンテナの各アンテナビームについて経路ロスを判定するステップをさらに含むことを特徴とする実施形態３１に記載の方法。
【００８３】
３４．経路ロスを推定するために使用されるラウドパケットの管理を調整するための無線通信システムであって、
該システムは、
調整ノードと、
複数の無線送信／受信ユニット（ＷＴＲＵ）と
を含み、
該調整ノードはラウドパケット生成要求メッセージを送信し、
該ＷＴＲＵのうちの第１のＷＴＲＵは該ラウドパケット生成要求メッセージを受信して、該ラウドパケット生成要求メッセージによって特定された送信電力で少なくとも１つのラウドパケットを送信し、
該ＷＴＲＵのうちの第２のＷＴＲＵは該少なくとも１つのラウドパケットを受信して、該受信されたラウドパケットの信号強度を判定し、該受信されたラウドパケットの送信電力を判定し、該判定された信号強度を該判定された送信電力から差し引くことによって、該第１のＷＴＲＵと該第２のＷＴＲＵとの間の経路ロスを判定することを特徴とするシステム。
【００８４】
３５．該調整ノードは、アクセスポイント（ＡＰ）であることを特徴とする実施形態３４に記載のシステム。
【００８５】
３６．該第１のＷＴＲＵは、ラウドパケット生成応答メッセージを送信することによって、該ラウドパケット生成要求メッセージに応答することを特徴とする実施形態３４に記載のシステム。
【００８６】
３７．該ラウドパケット生成応答メッセージは、該第１のＷＴＲＵが該ラウドパケットを送信するために使用する該送信電力を指し示すことを特徴とする実施形態３６に記載のシステム。
【００８７】
３８．経路ロスを推定するために使用されるラウドパケットの管理を調整するための無線通信システムであって、
該システムは、
調整ノードと、
複数の無線送信／受信ユニット（ＷＴＲＵ）と
を含み、
該調整ノードはラウドパケット生成要求メッセージを送信し、
該ＷＴＲＵのうちの第１のＷＴＲＵは該ラウドパケット生成要求メッセージを受信して、該ラウドパケット生成要求メッセージによって特定された時間に少なくとも１つのラウドパケットを送信し、
該ＷＴＲＵのうちの第２のＷＴＲＵは該少なくとも１つのラウドパケットを受信して、該受信されたラウドパケットの信号強度を判定し、該受信されたラウドパケットの送信電力を判定し、該判定された信号強度を該判定された送信電力から差し引くことによって、該第１のＷＴＲＵと該第２のＷＴＲＵとの間の経路ロスを判定することを特徴とするシステム。
【００８８】
３９．該調整ノードは、アクセスポイント（ＡＰ）であることを特徴とする実施形態３８に記載のシステム。
【００８９】
４０．該第１のＷＴＲＵは、ラウドパケット生成応答メッセージを送信することによって、該ラウドパケット生成要求メッセージに応答することを特徴とする実施形態３８に記載のシステム。
【００９０】
４１．該ラウドパケット生成応答メッセージは、該第１のＷＴＲＵが該ラウドパケットを送信するために使用する該送信電力を指し示すことを特徴とする実施形態４０に記載のシステム。
【００９１】
４２．経路ロスを推定するための無線送信／受信ユニット（ＷＴＲＵ）であって、
該ＷＴＲＵは、
ラウドパケットを受信するための受信機と、
該受信機に電気的に結合されたプロセッサであって、該受信されたラウドパケットの信号強度、該受信されたラウドパケットの送信電力、および該第１のＷＴＲＵと該第２のＷＴＲＵとの間の経路ロスを判定するように構成されているプロセッサと
を含み、
該経路ロスは、該判定された信号強度を該判定された送信電力から差し引くことによって計算されることを特徴とするＷＴＲＵ。
【００９２】
４３．該プロセッサに電気的に結合された送信機であって、ラウドパケット生成要求メッセージを送信するように構成されている送信機をさらに含むことを特徴とする実施形態４２に記載のＷＴＲＵ。
【００９３】
４４．該プロセッサに電気的に結合された送信機であって、該受信機がラウドパケット生成要求メッセージを受信することに応答して、ラウドパケット生成応答メッセージを送信するように構成されている送信機をさらに含むことを特徴とする実施形態４２に記載のＷＴＲＵ。
【００９４】
４５．無線送信／受信ユニット（ＷＴＲＵ）であって、
ラウドパケットを受信および送信するために複数のアンテナビームを生成するように構成されたスマートアンテナと、
該スマートアンテナに電気的に結合された受信機であって、ラウドパケット生成要求メッセージを受信するように構成されている受信機と、
該受信機に電気的に結合されたプロセッサであって、該ラウドパケット生成要求メッセージの中の情報に基づいて、少なくとも１つのラウドパケットを生成するように構成されているプロセッサと、
該プロセッサと該スマートアンテナとに電気的に結合された送信機であって、該スマートアンテナと該受信機とを介して以前に受信されたラウドパケットの中で得られた情報に従って、該スマートアンテナによって生成されたアンテナビームを使用して該少なくとも１つのラウドパケットを送信するように構成されている送信機と
を含むことを特徴とする無線送信／受信ユニット（ＷＴＲＵ）。
【００９５】
４６．無線送信／受信ユニット（ＷＴＲＵ）であって、
ラウドパケットを受信および送信するために複数のアンテナビームを生成するように構成されたスマートアンテナと、
該スマートアンテナに電気的に結合された送信機であって、ラウドパケット生成要求メッセージを送信するように構成されている送信機と、
該スマートアンテナに電気的に結合された受信機であって、複数のラウドパケットを受信するように構成されている受信機と、
該送信機と該受信機とに電気的に結合されたプロセッサであって、該ラウドパケットを受信するために使用された異なるアンテナビームに関連した経路ロスを判定するように構成されているプロセッサと
を含むことを特徴とする無線送信／受信ユニット（ＷＴＲＵ）。
【００９６】
４７．経路ロスを推定するために無線送信／受信ユニット（ＷＴＲＵ）の中に組み込まれた集積回路（ＩＣ）であって、
該ＩＣは、
ラウドパケットを受信するように構成された受信機と、
該受信機に電気的に結合されたプロセッサであって、該受信されたラウドパケットの信号強度、該受信されたラウドパケットの送信電力、および該第１のＷＴＲＵと該第２のＷＴＲＵとの間の経路ロスを判定するように構成されているプロセッサと
を含み、
該経路ロスは、該判定された信号強度を該判定された送信電力から差し引くことによって計算されることを特徴とするＩＣ。
【００９７】
４８．該プロセッサに電気的に結合された送信機であって、ラウドパケット生成要求メッセージを送信するように構成されている送信機をさらに含むことを特徴とする実施形態４７に記載のＩＣ。
【００９８】
４９．該プロセッサに電気的に結合された送信機であって、該受信機がラウドパケット生成要求メッセージを受信することに応答して、ラウドパケット生成応答メッセージを送信するように構成されている送信機をさらに含むことを特徴とする実施形態４７に記載のＩＣ。
【００９９】
５０．ラウドパケットを受信および送信するために複数のアンテナビームを生成するように構成されたスマートアンテナを有する無線送信／受信ユニット（ＷＴＲＵ）の中に組み込まれた集積回路（ＩＣ）であって、
該ＩＣは、
ラウドパケット生成要求メッセージを受信するように構成された受信機と、
該受信機に電気的に結合されたプロセッサであって、該ラウドパケット生成要求メッセージの中の情報に基づいて、少なくとも１つのラウドパケットを生成するように構成されているプロセッサと、
該プロセッサに電気的に結合された送信機であって、該スマートアンテナと該受信機とを介して以前に受信されたラウドパケットの中で得られた情報に従って、該スマートアンテナによって生成されたアンテナビームを使用して該少なくとも１つのラウドパケットを送信するように構成されている送信機と
を含むことを特徴とするＩＣ。
【０１００】
５１．ラウドパケットを受信および送信するために複数のアンテナビームを生成するように構成されたスマートアンテナを有する無線送信／受信ユニット（ＷＴＲＵ）の中に組み込まれた集積回路（ＩＣ）であって、
該ＩＣは、
該スマートアンテナに電気的に結合された送信機であって、ラウドパケット生成要求メッセージを送信するように構成されている送信機と、
該スマートアンテナに電気的に結合された受信機であって、複数のラウドパケットを受信するように構成されている受信機と、
該送信機と該受信機とに電気的に結合されたプロセッサであって、該ラウドパケットを受信するために使用された異なるアンテナビームに関連した経路ロスを判定するように構成されているプロセッサと
を含むことを特徴とするＩＣ。
【０１０１】
本発明の特徴および構成要素は、特定の組合せでの好ましい実施形態の中で説明されているが、各特徴または構成要素は（好ましい実施形態のその他の特徴および構成要素を伴わずに）単独で使用されることが可能であり、または本発明のその他の特徴および構成要素とともに、もしくはそれらを伴わずに様々な組合せの中で使用されることが可能である。
【図面の簡単な説明】
【０１０２】
【図１】本発明によって構成された無線通信システムの中で、ラウドパケットが調整ノードから１つまたは複数のＷＴＲＵに送信される信号流れ図である。
【図２】本発明による、ラウドパケットを送信および受信するためのスマートアンテナを使用する複数のＷＴＲＵを含む無線通信システムのブロック図である。
【図３】本発明の１つの実施形態による、２つのＷＴＲＵ間の経路ロスを推定するプロセスの流れ図である。
【図４】本発明の別の実施形態による、調整ノードによって送信されたラウドパケット生成要求メッセージの中に含まれた情報に基づいて、２つのＷＴＲＵ間の経路ロスを推定するプロセスの流れ図である。
【図５】本発明のさらに別の実施形態による、第３のＷＴＲＵによって送信されたラウドパケット生成要求メッセージによって特定された条件に基づいて、２つのＷＴＲＵ間の経路ロスを推定するプロセスの流れ図である。
【図１】
2008538682.tif 000004
【図２】
2008538682.tif 000005
【図３】
2008538682.tif 000006
【図４】
2008538682.tif 000007
【図５】
2008538682.tif 000008
【国際調査報告】
2008538682.tif 000009